(57)【特許請求の範囲】
【請求項１】
フロートに沿ってカーテンを垂下したフェンス本体と、前記フェンス本体を結束可能な結束機構とを有する汚濁防止フェンス装置であって、
前記結束機構はフェンス本体に沿って間隔を隔てて外装する複数の結束帯と、
前記複数の結束帯に跨って配設可能な全長を有し、遠隔操作により前記結束帯の一部を分離する操作索とを具備し、
前記操作索を結束帯の両端の重合部に挿通、又は抜き取りすることで、前記複数の結束帯の両端部の連結、又は切離しが可能であり、
前記結束機構を用いて、カーテンを折り畳んだ状態でのフェンス本体の梱包と、フェンス本体の梱包解除を行うことを特徴とする、
汚濁防止フェンス装置。
【請求項２】
前記結束帯はカーテンを小さく折り畳んだ状態のフェンス本体を包囲可能な全長を有するバンド材と、該バンド材の両端にそれぞれ設けた接続要素とを具備し、前記操作索が接続要素の重合部に挿通、又は抜き取り可能であることを特徴とする、請求項１に記載の汚濁防止フェンス装置。
【請求項３】
前記結束帯をフェンス本体の一部に脱落不能に付設したことを特徴とする、請求項１又は２に記載の汚濁防止フェンス装置。
【請求項４】
前記カーテンの両面にそれぞれ対向して設けた内外シートからなる重錘付きの測定シートを追加して具備し、前記結束機構を用いて、カーテン及び測定シートを折り畳んだ状態でのフェンス本体の梱包と、フェンス本体の梱包解除を行うことを特徴とする、請求項１乃至３の何れか一項に記載の汚濁防止フェンス装置。
【請求項５】
フロートに沿ってカーテンを垂下したフェンス本体と、前記フェンス本体を結束可能な結束機構とを有する汚濁防止フェンス装置の展張方法であって、
前記請求項１乃至３の何れか一項に記載の汚濁防止フェンス装置を使用し、
結束機構で梱包した状態のままフェンス本体を水域の所定範囲に展張し、
前記結束機構を構成する操作索を抜き取って前記複数の結束帯の両端部の切離しを陸上から遠隔操作することで、前記カーテンを自重で水中に吊下げることを特徴とする、
汚濁防止フェンス装置の展張方法。
【請求項６】
フロートに沿ってカーテンを垂下したフェンス本体と、前記フェンス本体を結束可能な結束機構とを有する汚濁防止フェンス装置の展張方法であって、
前記請求項４に記載の汚濁防止フェンス装置を使用し、
結束機構で梱包した状態のままフェンス本体を水域の所定範囲に展張し、
前記結束機構を構成する操作索を抜き取って前記複数の結束帯の両端部の切離しを陸上から遠隔操作することで、前記カーテン及び測定シートを自重で水中に吊下げることを特徴とする、
汚濁防止フェンス装置の展張方法。
【請求項７】
水域の間に先導索を横断させて配索し、フェンス本体の先端に接続した前記先導索を陸上側で牽引することで、前記結束機構で梱包した状態のままフェンス本体を水域の所定範囲に展張することを特徴とする、請求項５又は６に記載の汚濁防止フェンス装置の展張方法。
【発明の詳細な説明】
【技術分野】
【０００１】
本発明は、湖沼、農業用ダム、河川、港湾、海岸等の水域における汚濁物質の拡散を防止する汚濁防止フェンス装置及びその展張方法に関する。
【背景技術】
【０００２】
柱状のフロートと、フロートに一体に垂下した帯状のカーテンとからなる汚濁防止フェンスは広く知られている（特許文献１）。
汚濁防止フェンスの出荷形態は、カーテン部分を小さく折り畳みフロートと一緒に複数箇所をポリプロピレン製等の梱包紐を巻き付けて梱包している。
汚濁防止フェンスを現地水域に展張する際には、梱包を解かずにカーテンを折り畳んだ状態でフェンスを進展した後に、水上で梱包紐を解いて重錘付きのカーテンを水中に沈降している。
梱包紐を解かずにフェンスを展張するのは、梱包を解いてカーテンを垂下した状態で展張すると、カーテンが水の抵抗を大きく受けてフェンスの展張作業を円滑に行えないからである。
上記した汚濁防止フェンスの展張作業と梱包紐の除去作業は、専ら小型の船舶を用いて行なわれるが、フェンスの設置現場が船舶の導入が困難な山岳地の場合は、これらの作業を潜水士が行っている。
【先行技術文献】
【特許文献】
【０００３】
【特許文献１】特開平４−６４６１４号公報
【発明の概要】
【発明が解決しようとする課題】
【０００４】
上述した汚濁防止フェンスの展張技術は次のような問題点を有している。
＜１＞汚濁防止フェンスの展張作業には小型の船舶と６、７人ほどの作業要員を必要とするだけでなく、船舶の搬出入にも多くの時間と労力を要するため、コストが嵩むうえに作業時間も長くかかる。
＜２＞船舶が小型の場合には、波浪、横風等の影響を受けて作業中に船舶が揺れ動く。
そのため、作業員が足場の不安定な環境下での作業を強いられるうえに、誤って落水する危険もある。
＜３＞例えば放射性の有害物質が混入した危険な水域に汚濁防止フェンスを展張する場合には、船舶を用いても作業員の安全性確保が難しく、ましてや潜水作業を行うこともできない。
このような危険な水域に汚濁防止フェンスを展張する技術については、これまでまったく検討がされておらず、汚濁防止フェンスを安全に展張できる対応技術の提案が望まれている。
【０００５】
本発明は以上の点に鑑みて成されたもので、その目的とするところはつぎの汚濁防止フェンス装置及びその展張方法を提供することにある。
＜１＞船舶や潜水士に頼らずに、陸上からの作業で以て安全に汚濁防止フェンスを展張できること。
＜２＞折り畳まれているカーテンを遠隔操作によって簡易に展開できること。
＜３＞フェンスの汚濁防止機能を損なわずに、水域の汚濁状況を正確にサンプリングできること。
【課題を解決するための手段】
【０００６】
本発明は、フロートに沿ってカーテンを垂下したフェンス本体と、前記フェンス本体を結束可能な結束機構とを有する汚濁防止フェンス装置であって、前記結束機構はフェンス本体に沿って間隔を隔てて外装する複数の結束帯と、前記複数の結束帯に跨って配設可能な全長を有し、遠隔操作により前記結束帯の一部を分離する操作索とを具備し、前記操作索を結束帯の両端の重合部に挿通、又は抜き取りすることで、前記複数の結束帯の両端部の連結、又は切離しが可能であり、前記結束機構を用いて、カーテンを折り畳んだ状態でのフェンス本体の梱包と、フェンス本体の梱包解除を行うことを特徴とする。
他の形態において、前記結束帯はカーテンを小さく折り畳んだ状態のフェンス本体を包囲可能な全長を有するバンド材と、該バンド材の両端にそれぞれ設けた接続要素とを具備し、前記操作索が接続要素の重合部に挿通、又は抜き取り可能である。
他の形態において、前記結束帯をフェンス本体の一部に脱落不能に付設してもよい。
他の形態において、前記カーテンの両面にそれぞれ対向して設けた内外シートからなる重錘付きの測定シートを追加して具備し、前記結束機構を用いて、カーテン及び測定シートを折り畳んだ状態でのフェンス本体の梱包と、フェンス本体の梱包解除を行う。
又、本発明は、フロートに沿ってカーテンを垂下したフェンス本体と、前記フェンス本体を結束可能な結束機構とを有する汚濁防止フェンス装置の展張方法であって、前記何れかの汚濁防止フェンス装置を使用し、結束機構で梱包した状態のままフェンス本体を水域の所定範囲に展張し、前記結束機構を構成する操作索を抜き取って前記複数の結束帯の両端部の切離しを陸上から遠隔操作することで、前記カーテン、又は測定シートを自重で水中に吊下げることを特徴とする。
他の形態において、水域の間に先導索を横断させて配索し、フェンス本体の先端に接続した前記先導索を陸上側で牽引することで、前記結束機構で梱包した状態のままフェンス本体を水域の所定範囲に展張する。
【発明の効果】
【０００７】
本発明の、汚濁防止フェンス装置は、以上説明した構成を有するため、次の効果の少なくともひとつを備える。
＜１＞陸上側からフェンス本体の展張作業を行えるだけでなく、同じ陸上側から結束機構を介して遠隔操作によりカーテンの展開吊下げ作業を行える。
したがって、汚濁防止フェンスを少人数で短時間の間に低コストで展張することができる。
＜２＞小型船舶や潜水士に頼らずに、フェンス本体の展張作業とカーテンの展開吊下げ作業を行える。
殊に、有害物質を含んだ水域の場合には、作業員を危険から守り、安全に汚濁防止フェンスを展張することができる
＜３＞結束機構の構成部材数が少なく低コストであり、操作索を抜き取るだけの簡単な操作で結束機構を開放することができる。
＜４＞測定シートを追加して具備することで、フェンスの汚濁防止機能を損なわずに、水域の汚濁状況を正確にサンプリングすることができる。
＜５＞測定シートを水深方向に沿って配置できるので、水深に応じたサンプリングが可能となって、特定の水深における汚濁状況を正確に検査することができる。
【図面の簡単な説明】
【０００８】
【図１】本発明の実施例に係る汚濁防止フェンス装置の斜視図
【図２】カーテンを折り畳んで梱包した汚濁防止フェンス装置の横断面図
【図３】解放時における結束帯の両端部の斜視図。
【図４】連結時における結束帯の両端部の斜視図。
【図５】結束帯の係止例を説明するためのフェンス本体の部分拡大図
【図６】汚濁防止フェンス装置の展張方法を説明するためのモデル図
【図７】折り畳んだカーテンの展開吊下げ方法を説明するためのモデル図
【図８】本発明の他の実施例に係る汚濁防止フェンス装置の断面図
【発明を実施するための形態】
【０００９】
以下、図面を参照しながら本発明の実施例について詳細に説明する。
【００１０】
＜１＞汚濁防止フェンス装置の概要。
図１，２を参照して説明すると、汚濁防止フェンス装置１０は、フェンス本体２０と、フェンス本体２０を結束可能な結束機構３０とを具備する。
以下に各構成要素について詳しく説明する。
【００１１】
＜２＞前提するフェンス本体。
本発明が前提とするフェンス本体２０は、柱状のフロート２１と、フロート２１に一体に垂下した帯状のカーテン２２とからなる汚濁防止フェンスであり、例えば公知のシルトフェンス、オイルフェンスなどを含む。
フロート２１は、円柱形のポリスチレン発泡体の周囲をＰＶＣターポリン等の樹脂素材の袋状シートで被覆してある。
汚濁物質の透過を規制するカーテン２２は折り畳み可能な可撓性シート状物であり、その下端にチェーン等からなる重錘２３が付設してある。
カーテン２２の素材は、難透水性のキャンバス地や不透水性のシート地を含む。
又、必要に応じてカーテン２２の横断方向に沿って張力補強用のテンションベルトを付設する場合もある。
【００１２】
＜３＞結束機構。
結束機構３０はフェンス本体２０を梱包するための装置であり、フェンス本体２０に巻き掛け可能な複数の結束帯４０と、複数の結束帯４０に跨って配設可能な全長を有し、遠隔操作により結束帯４０の一部を分離する操作索５０とを具備する。
結束帯４０はフェンス本体２０に沿って間隔を隔てて配置する。
【００１３】
＜３．１＞結束帯。
図２〜４を参照して説明すると、結束帯４０はカーテン２２が小さく折り畳まれた状態のフェンス本体２０を包囲可能な全長を有するバンド材４１と、バンド材４１の両端にそれぞれ設けた貫通孔４２ａ，４３ａを形成した接続要素４２,４３とを具備する。
バンド材４１はロープ材、紐材、又は帯材からなり、その素材は樹脂製、金属製、又は繊維製からなる。
接続要素４２,４３は重合してその貫通孔４２ａ，４３ａを一致させることが可能である。本例では接続要素４２,４３をバンド材４１と別体の部材で形成した形態について示すが、バンド材４１の端部に直接ループ等を形成して接続要素４２,４３をバンド材４１と同一の部材で形成してもよい。
【００１４】
図５に示すように、カーテン２２の最上部に設けた落下防止用の取付タグ２４にバンド材４１を係止しておけば、フェンス本体２０に対して結束帯４０を分離不能に取り付けることができる。
尚、取付タグ２４の取付け位置は上記の位置に限定されず、フロート２１の一部、又はカーテン２２の一部でもよい。
フェンス本体２０に対して結束帯４０を分離不能に取り付けておけば、結束帯４０を繰り返し使用することができる。
又、バンド材４１の係止手段は取付タグ２４に限定されるものではなく、カーテン２２の一部に貫挿して取り付けてもよい。
【００１５】
＜３．２＞操作索。
操作索５０は結束帯４０の端部に設けた接続要素４２,４３の貫通孔４２ａ，４３ａに挿通可能なロープ材であり、複数の結束帯４０に跨って配設可能な全長を有する。
【００１６】
＜４＞カーテンの結束方法。
図１，２を参照して、フェンス本体２０を構成するカーテン２２の結束方法について説明する。
最初に蛇腹状に折り畳んだカーテン２２と、フロート２１との周面に結束帯４０のバンド材４１を巻き掛け、つぎにバンド材４１の両端の接続要素４２,４３を重合し、位置合わせした貫通孔４２ａ，４３ａに操作索５０を挿通して結束帯４０の両端を分離不能に連結する。結束帯４０の連結は操作索５０の剛性により保持される。
一本の操作索５０をすべての結束帯４０に亘って挿通することで、すべての結束帯４０で操作索５０を共有する。
結束機構３０による結束帯４０の巻き掛け作業と、操作索５０による結束帯４０の連結作業の簡単な作業を繰り返すだけで、フェンス本体２０の全長に亘って結束することができる。
【００１７】
＜４．１＞カーテンの結束間隔。
結束機構３０によるカーテン２２の結束間隔は、カーテン２２が大きく垂れ下がらないように、カーテン２２のカーテン長等を考慮して適宜の間隔を選択する。
【００１８】
＜４．２＞カーテンの結束時期。
結束機構３０によるカーテン２２の結束作業は工場で予め行っておくか、又は現場において展張作業をする前に行っておく。
【００１９】
［汚濁防止フェンス装置の展張方法］
つぎに図６，７を参照して、水域Ａの右岸Ｂから左岸Ｃへ向けて汚濁防止フェンス装置１０を展張する場合について説明する。
【００２０】
＜１＞先導索の配索。
図６に示すように、水域Ａを横断可能な長さの先導索５１を右岸Ｂから左岸Ｃへ向けて配索する。
先導索５１の配索手段としては、竿を使ったキャスティング法、先導索５１の先端に錘を付けて投擲する方法、又は先導索５１の先端を弾に接続して射撃する方法等を採用できる。
【００２１】
＜２＞引き寄せによる汚濁防止フェンス装置の展張。
両岸Ｂ，Ｃの間に張り渡した先導索５１の尾端をフェンス本体２０の先端に接続して、左岸Ｃ側から先導索５１と共にフェンス本体２０を人力、又は巻上機等を用いて引き寄せて、水域Ａの所定の範囲に汚濁防止フェンス装置１０を展張する。
フェンス本体２０の引き寄せにあたり、水の抵抗を受け難くするように、結束機構３０により折り畳んだカーテン２２の展開を拘束するので、フェンス本体２０の引き寄せ抵抗が小さくて済む。
左岸Ｃにスペースがない場合は、左岸Ｃに固定滑車を設置し、固定滑車に先導索５１を巻き掛けて右岸Ｂ側で先導索５１を引き寄せるとよい。
このように船舶を用いずに、陸上側から先導索５１を引き寄せることで作業汚濁防止フェンス装置１０を安全に展張することができる。
【００２２】
＜３＞遠隔操作によるカーテンの展開吊下げ。
両岸Ｂ，Ｃの間に展張したフェンス本体２０には、その全長に亘って操作索５０が配索されている。
図７に示すように、左岸Ｃまたは右岸Ｂの一方側において、操作索５０の左右何れか一方を牽引操作して、複数の結束帯４０の両端部から操作索５０を抜き取る。
結束帯４０の両端部から操作索５０を抜き取ると、図３に示すように結束帯４０を構成するバンド材４１の両端が切り離され、その結果、折り畳まれていたカーテン２２が自重で展開して水中に沈降する。
操作索５０の抜き取り操作を継続することで、次々と結束帯４０による結束が解かれてカーテン２２の展開範囲が拡張する。
このように陸上側から操作索５０を牽引することにより、各結束帯４０の結束を解除してフェンス本体２０の全長に亘ってカーテン２２を水中に展開することができる。
【００２３】
本発明では、フェンス本体２０の展張作業とカーテン２２の展開吊下げ作業を陸上側で行えるので、船舶を用いた水上作業や潜水士による潜水作業が一切不要である。
したがって、水域Ｂに有害物質（有害物質の付着した土粒子、セシウム、ダイオキシン等）が混入している危険な環境下であっても、すべての作業を陸上側で行えるので、作業員の安全性を確保して汚濁防止フェンス装置１０を展張することが可能となる。
【００２４】
［他の実施例］
以降に他の実施例について説明するが、その説明に際し、前記した実施例と同一の部位は同一の符号を付してその詳しい説明を省略する。
【００２５】
＜１＞他の汚濁防止フェンス装置。
図８にフェンス本体２０と、フェンス本体２０に設けた分離可能な結束機構３０とにくわえて測定シート６０を追加して具備していて、濁防止フェンス装置１０に汚濁物質の測定機能を付与した他の実施例に係る汚濁防止フェンス装置１０を示す。
尚、図８ではカーテン２２の展開吊下げ後の状態を示したため、結束機構３０の図示を省略している。
【００２６】
＜２＞測定シート。
測定シート６０はカーテン２２の両面に対向するように垂下して設けた内外シート６１，６２からなる。
内外シート６１，６２はカーテン２２と同一の透水性能を有する同一素材で形成してある。内外シート６１，６２にカーテン２２の表裏面を代用させるためである。
内外シート６１，６２の上端は、カーテン２２の上部に固着するか、フロート２１に巻き掛けて垂下する。
各シート６１，６２はその下端に重錘６３を有するとともに、浮体６４付きの引上紐６５が接続してあり、各引上紐６５を用いて内外シート６１，６２を個別に引き上げ可能になっている。
【００２７】
＜２．１＞測定シートの設置目的。
カーテン２２の両面に面して測定シート６０を配置したのは、カーテン２２のフェンス機能（汚濁物質の拡散防止機能）を確認するためと、汚濁物質のサンプリングを行うためである。
現地に展張したカーテン２２のフェンス機能を評価する方法としては、カーテン２２の一部を切除してサンプリングし、サンプリング片の表裏面に付着した汚濁物質を測定する方法があるが、カーテン２２の一部を切除すると、カーテン２２によるフェンス機能を喪失する。
本例ではこの点に鑑み、カーテン２２の一部を切除せずに、カーテン２２の両面に配置した測定シート６０の内外シート６１，６２を通じて汚濁物質のサンプリングを可能とし、これによりカーテン２２のフェンス機能を評価するだけでなく、付着した汚濁物質を特定することができる。
【００２８】
＜２．２＞測定シートの結束手段。
測定シート６０をフェンス本体２０に一体に付設してある場合は、カーテン２１と共に測定シート６０を折り畳み、既述した結束機構３０で予め結束しておくだけでよい。
【００２９】
＜２．３＞測定シートの設置範囲。
測定シート６０は測定を必要とするカーテン２２の一部区間に設けるが、カーテン２２の全長に亘って設けてもよい。
船舶を用いて汚濁物質のサンプリングを行う際の作業性と安全性を考慮すると、引き上げ作業がし易い長さと重量に設定した測定シート６０をフェンス本体２０に部分的に設けることが望ましい。
【００３０】
＜３＞汚濁防止フェンス装置の展張方法。
本例における汚濁防止フェンス装置１０の展張方法は、既述した実施例の展張方法と同様である。
【００３１】
＜４＞遠隔操作による測定シートの展開吊下げ方法。
測定シート６０を展開吊下げるには、既述した操作方法と同様に、図７に示した操作索５０の左右何れか一方を遠隔から牽引操作して、複数の結束帯４０の両端部から操作索５０を抜き取り、結束帯４０を構成するバンド材４１の両端を切り離して、折り畳んだカーテン２２と共に内外シート６１，６２を自重で展開して水中に吊下げる。
【００３２】
＜５＞測定シートによる測定方法。
水域Ａ中の汚濁物質が含まれていれば、内外シート６１，６２のシート面に付着する。
船上から引上紐６５を使用して各内外シート６１，６２を水上に引き上げ、その一部を切除してサンプリングする。
サンプリングした内外シート６１，６２の各切除片を専用の測定機にかけて、汚濁物質の種類、濃度等を測定する。
【００３３】
＜６＞本例の効果。
本例にあっては、汚濁物質のサンプリングに際し、内外シート６１，６２の一部を切除することで、実質的にカーテン２２の表裏両面をサンプリングしたことになる。
したがって、カーテン２２を切除せずに済むので、カーテン２２のフェンス機能を失わないで済む。
又、カーテン２２を切除してサンプリングした場合、カーテン２２の表裏を取り違えるおそれがあるが、本例ではカーテン２２の表裏を内外シート６１，６２が代用するので、サンプルの取り違えがなくなる。
又、内外シート６１，６２の測定結果が顕著であれば、水域Ａに展張したカーテン２２のフェンス機能（汚濁物質の拡散防止機能）を実証することができる。
更に又、カーテン２２と共に測定シート６０が水深方向に沿って配置してあるので、測定シート６０には水深に応じた汚濁状況が直接反映されことになる。
したがって、水深に応じたサンプリングが可能となって、特定の水深における汚濁状況を正確に検査することができる。
殊に本例は、人体に有害な有害物質（有害物質の付着した土粒子、セシウム、ダイオキシン等）が混入している危険な水域Ａで有害物質を測定する場合に好適である。
【符号の説明】
【００３４】
１０・・・・・汚濁防止フェンス装置
２０・・・・・フェンス本体
２１・・・・・フロート
２２・・・・・カーテン
２３・・・・・重錘
３０・・・・・結束機構
４０・・・・・結束帯
４１・・・・・バンド材
４２・・・・・バンド材の接続要素
４２ａ・・・・貫通孔
４３・・・・・バンド材の接続要素
４３ａ・・・・貫通孔
５０・・・・・操作索
６０・・・・・測定シート
６１・・・・・内シート
６２・・・・・外シート
６３・・・・・重錘
６４・・・・・浮体
６５・・・・・引上紐
【図１】
0006007233.tif 000002
【図２】
0006007233.tif 000003
【図３】
0006007233.tif 000004
【図４】
0006007233.tif 000005
【図５】
0006007233.tif 000006
【図６】
0006007233.tif 000007
【図７】
0006007233.tif 000008
【図８】
0006007233.tif 000009